(57)【要約】【課題】  本発明は、一次ボビンに一次巻線を巻回する際に、治具の回転中心がずれることに基づく振動等による一次コイルの生産性および品質の低下を防止する内燃機関用点火コイルに関するものである。【解決手段】  本発明の一次ボビンは、一次コイル巻回部と、前記センタ鉄心の位置決め孔と、前記一次コイル巻回部の一端部に連設する鍔部と、前記鍔部の外側に連設された薄肉部とから少なくとも構成されている。前記位置決め孔は、たとえば、前記一次コイル巻回部の上下部に設けられ、積厚を吸収するピン等が入れられ、両側から押さえることによって前記センタ鉄心の位置決めを行う。前記薄肉部は、前記鍔部の一端部の外側に設けられ、前記センタ鉄心の長手方向端面を除く上下の表面を覆うように成形される。前記薄肉部は、成形されてできるため、センタ鉄心の積厚にかかわらず、厚み方向を一定にすることができる。【選択図】    図１
2006278379.tif 000002
【特許請求の範囲】
【請求項１】
一次ボビンに電線が巻回されている一次コイルと、
二次ボビンに電線が巻回されている二次コイルと、
前記一次コイルおよび二次コイルを磁気的に結合させる前記一次コイルの内周を通るセンタ鉄心と、
前記二次コイルの外周を通るサイド鉄心と、
を少なくとも有する内燃機関用点火コイルにおいて、
前記一次ボビンは、
内周にインサート成形されたセンタ鉄心と、
前記一次コイル巻回部と、
前記一次コイル巻回部に設けられた前記センタ鉄心の位置決め孔と、
前記一次ボビンのコイル巻回部の一端部に連設された鍔部と、
前記鍔部の外側に連設され、前記センタ鉄心の長手方向端面を除く表面を覆うように設けられた薄肉部と、
を少なくとも備えていることを特徴とする内燃機関用点火コイル。
【請求項２】
前記薄肉部は、前記鍔部の外側に連設され、前記センタ鉄心の長手方向端面を除く表面および側部の一部を覆っていることを特徴とする請求項１に記載された内燃機関用点火コイル。
【発明の詳細な説明】
【技術分野】
【０００１】
本発明は、一次ボビンに一次巻線を巻回する際に、治具の回転中心がずれることに基づく振動等による一次コイルの生産性および品質の低下を防止する内燃機関用点火コイルに関するものである。
【背景技術】
【０００２】
図３は従来例における一次コイルを説明するための斜視図である。図３において、一次ボビン３１は、内部にセンタ鉄心３２が貫通している。前記センタ鉄心３２は、図示されていない、サイド鉄心とともに、一次コイルと二次コイルとを磁気的に結合させる。また、前記一次ボビン３１は、一次コイル巻回部３１１と、前記一次コイルの一端部を押さえる鍔３１２と、前記一次コイルの他端部を押さえるとともに、端子等を取り付けるとともに他方の鍔部を兼ねる取付部材３１３とから構成されている。さらに、前記一次ボビン３１の一次コイル巻回部３１１には、上下に二つの位置決め孔３１４が設けられている。前記位置決め孔３１４は、前記センタ鉄心３２の位置を調整するためのピンの通る孔である。
【０００３】
図４は、図３に示す従来例における一次コイルを説明するための正面図である。図４において、前記一次ボビン３１に一次コイルを巻回する場合、図示されていない、治具を保持する位置が矢印によって示されている。センタ鉄心３２の上下表面３２１、３２１′および左右の側端部３２２、３２２′を治具によって保持し、前記一次ボビン３１を回転させなから、一次コイルを巻回する。
【０００４】
特開平５−３１５１６０号公報における一次ボビンは、一次ボビンの内側で、鉄心どうしを圧入して、前記鉄心と一次ボビンおよびケースを接着して、内燃機関用点火コイルの剛性を上げ、磁気振動を防止している。また、特開平８−１８６０３８号公報における一次ボビンは、一次ボビンと鉄心とを硬質系のエポキシ接着剤と、可撓性エポキシ接着剤の二種類で接着することにより、鉄心の磁気振動を吸収している。
【特許文献１】特開平５−３１５１６０号公報
【特許文献２】特開平８−１８６０３８号公報
【発明の開示】
【発明が解決しようとする課題】
【０００５】
センタ鉄心の積厚に対する垂直方向における寸法は、切断する際のプレスによる誤差が少ないため、治具による位置決めが可能である。しかし、センタ鉄心の積厚方向の寸法は、鉄心自体の厚さ、あるいは、鉄心の積層時の空気等によるバラツキが大きい。一次コイルの巻回は、センタ鉄心の位置決めの基準として、前記センタ鉄心の厚み方向における位置決めが困難であった。図４に示すように、センタ鉄心の積厚方向およびプレスによる切断端面で固定し、治具の回転中心とした場合、前記センタ鉄心の重心は、偏心することがある。したがって、図４で示すような前記センタ鉄心の固定は、前記重心の偏心により、振動等が発生して、一次コイルの生産性および品質を低下させる。
【０００６】
以上のような課題を解決するために、本発明は、センタ鉄心の上下表面を固定して一次ボビンに一次コイルを巻回する際に、前記センタ鉄心の積厚のバラツキを吸収し、振動が発生する偏心を防止し、一次コイルの生産性および品質を向上させることができる内燃機関用点火コイルを提供することを目的とする。
【課題を解決するための手段】
【０００７】
（第１発明）
第１発明の内燃機関用点火コイルは、一次ボビンに電線が巻回されている一次コイルと、二次ボビンに電線が巻回されている二次コイルと、前記一次コイルおよび二次コイルを磁気的に結合させる前記一次コイルの内周を通るセンタ鉄心と、前記二次コイルの外周を通るサイド鉄心とを少なくとも有し、前記一次ボビンは、内周にインサート成形されたセンタ鉄心と、前記一次コイル巻回部と、前記一次コイル巻回部に設けられた前記センタ鉄心の位置決め孔と、前記一次ボビンのコイル巻回部の一端部に連設された鍔部と、前記鍔部の外側に連設され、前記センタ鉄心の長手方向端面を除く表面を覆うように設けられた薄肉部とを少なくとも備えていることを特徴とする。
【０００８】
（第２発明）
第２発明の内燃機関用点火コイルは、第１発明の薄肉部が鍔部の外側に連設され、前記センタ鉄心の長手方向端面を除く表面および側部の一部を覆っていることを特徴とする。
【発明の効果】
【０００９】
本発明によれば、一次コイルを巻回するに当たり、コイル巻線機のチャックが薄肉部を上下方向から、また、センタ鉄心の幅方向の端面を左右方向から掴み、前記一次ボビンを回転させると、前記一次ボビンに設けた薄肉部の寸法が鉄心の積厚にかかわらず、金型によって一定であるため、前記一次ボビンの回転が偏心することによる振動等が吸収されて、前記一次コイルの生産性および品質を向上させることができる。
【発明を実施するための最良の形態】
【００１０】
（第１発明）
第１発明の内燃機関用点火コイルは、一次ボビンに電線が巻回されている一次コイルと、二次ボビンに電線が巻回されている二次コイルと、前記一次コイルおよび二次コイルを磁気的に結合させる前記一次コイルの内周を通るセンタ鉄心と、前記二次コイルの外周を通るサイド鉄心とを少なくとも有している。前記一次ボビンは、内周にセンタ鉄心がインサート成形されている。また、前記一次ボビンは、一次コイル巻回部と、前記センタ鉄心の位置決め孔と、前記一次コイル巻回部の一端部に連設する鍔部と、前記鍔部の外側に連設された薄肉部とから少なくとも構成されている。
【００１１】
前記位置決め孔は、たとえば、前記一次コイル巻回部の上下部に設けられ、積厚を吸収する金型に取り付けられたピン等が上下方向から入れられ、両側から押さえることによって前記センタ鉄心の位置決めが行われる。前記薄肉部は、前記鍔部の一端部の外側に設けられ、前記センタ鉄心の長手方向端面を除く上下の表面を覆うように成形される。前記薄肉部は、金型により成形されてできるため、センタ鉄心の積厚にかかわらず、厚み方向を一定にすることができる。すなわち、前記センタ鉄心の積厚が標準より薄い場合、前記薄肉部は厚く、前記センタ鉄心の積厚が標準より厚い場合、前記薄肉部は薄く成形される。
【００１２】
また、前記センタ鉄心の幅方向の端面は、切断する際にほぼ一定になる。したがって、一次コイルを巻回するに当たり、コイル巻線機のチャックは、前記薄肉部を上下方向から、また、センタ鉄心の幅方向の端面を左右方向から掴み、前記一次ボビンを回転させる。前記一次ボビンに設けた薄肉部は、前記センタ鉄心の積厚にかかわらず、金型寸法により一定であるため、前記一次ボビンの回転が偏心することによる振動等が除去されて、前記一次コイルの生産性および品質を向上させることができる。
【００１３】
（第２発明）
第２発明の内燃機関用点火コイルは、一次ボビンにおける鍔部の一端部の外側に連設された薄肉部が前記センタ鉄心の長手方向端面を除く表面および側部の一部を覆っている。したがって、一次コイルを巻回するに当たり、コイル巻線機のチャックは、前記薄肉部を上下方向および左右方向から掴み、前記一次ボビンを回転させる。前記一次ボビンに設けた薄肉部は、前記センタ鉄心の積厚にかかわらず、金型により一定であるため、前記一次ボビンの回転が偏心することによる振動等が除去されて、前記一次コイルの生産性および品質を向上させることができる。
【実施例１】
【００１４】
図１は本発明における一次コイルを説明するための斜視図である。図１において、一次ボビン１１は、内部にセンタ鉄心１２が貫通している。前記センタ鉄心１２は、図示されていない、サイド鉄心とともに、一次コイルと二次コイルとを磁気的に結合させる。また、前記一次ボビン１１は、一次コイル巻回部１１１と、前記一次コイルの一端部を押さえる鍔１１２と、前記一次コイルの他端部を押さえる鍔を兼ねるとともに、端子等を取り付ける取付部材１１３とから構成されている。
【００１５】
さらに、前記一次ボビン１１の一次コイル巻回部１１１には、たとえば、上下に二つの位置決め孔１１４、１１４′が設けられている。前記位置決め孔１１４、１１４′は、図示されていない金型に取り付けられているピンが上下方向から入り、前記センタ鉄心１２の位置を調整する。前記ピンは、たとえば、バネ等を介して前記センタ鉄心１２を押さえるため、センタ鉄心１２を所定の位置にすることができる。
【００１６】
前記鍔１１２は、一次コイル巻回部１１１の外部において、前記センタ鉄心１２の上下の表面を覆う上部薄肉部１１５および下部薄肉部１１５′が連設されている。さらに、前記上部薄肉部１１５には、前記センタ鉄心１２の長さ方向の端部の一部を覆う側部薄肉部１１６、１１６′が、必要に応じて、連設できる。同様に、前記下部薄肉部１１５′には、前記センタ鉄心１２の長さ方向の端部１２２の一部を覆う側部薄肉部１１７、１１７′が、必要に応じて、連設できる。前記上部薄肉部１１５および下部薄肉部１１５′の厚さは、センタ鉄心１２の積厚が標準より薄い場合厚くなり、標準より厚い場合薄くなる。前記金型により作製された上部薄肉部１１５および下部薄肉部１１５′のセンタ鉄心１２を挟んだ間隔は、積厚に関係なく、金型により決まる一定の厚さとなる。
【００１７】
図２は、図１に示す本発明における一次コイルを治具による保持を説明するための正面図である。図２において、前記一次ボビン１１に図示されていない一次コイルを巻回する場合、図示されていない、治具を保持する位置が矢印によって示されている。センタ鉄心１２の上下表面および左右から治具によって保持し、前記一次ボビン１１を回転させながら、一次コイルを巻回する。前記位置での治具の保持は、前記センタ鉄心１２の重心と一致できるため、偏心による振動をなくし、一次コイルの生産性および品質を向上させることができる。
【産業上の利用可能性】
【００１８】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の実施例に記載された内燃機関用点火コイルの一次ボビンおよびセンタ鉄心の材質は、公知または周知のものを使用することができる。また、本発明の実施例に記載された内燃機関用点火コイルの一次ボビンとセンタ鉄心のインサート成形およびその形状は、公知または周知のものを採用することができる。コイルの巻線機は、公知または周知のものを使用することができる。
【図面の簡単な説明】
【００１９】
【図１】本発明における一次コイルを説明するための斜視図である。（実施例１）
【図２】図１に示す本発明における一次コイルを治具による保持を説明するための正面図である。
【図３】従来例における一次コイルを説明するための斜視図である。
【図４】図３に示す従来例における一次コイルを説明するための正面図である。
【符号の説明】
【００２０】
１１・・・一次ボビン
１１１・・・一次コイル巻回部
１１２・・・鍔
１１３・・・取付部材
１１４、１１４′・・・位置決め孔
１１５・・・上部薄肉部
１１５′・・・下部薄肉部
１１６、１１６′、１１７、１１７′・・・側部薄肉部
１２・・・センタ鉄心
１２２・・・端部
【図１】
2006278379.tif 000003
【図２】
2006278379.tif 000004
【図３】
2006278379.tif 000005
【図４】
2006278379.tif 000006